(57)【特許請求の範囲】
【請求項１】
回転検出用および押込検出用の各固定接点を有するウエハと、このウエハに回転可能かつ押込可能に保持された操作体と、この操作体に設けられ前記固定接点に接離可能な可動接点と、巻回部の両端から一対の腕部が突出するセンタ復帰用の捩じりコイルばねとを備え、
前記操作体に中央部に長孔を有する円筒状のボスを設けるとともに、このボスの周囲に環状溝と該環状溝に連通する一対の係合溝とを設け、前記長孔を前記ウエハに立設した支軸に挿通することにより、前記操作体を該支軸を中心に回転可能かつ押込可能となし、前記捩じりコイルばねの巻回部を前記ボスに巻掛けて前記環状溝内に収納するとともに、該捩じりコイルばねの両腕部をそれぞれ前記係合溝から突出させて前記ウエハに弾接し、かつ、前記ウエハと前記操作体のいずれか一方に突起を設け、いずれか他方に前記操作体のセンタ位置で該操作体の押込時に前記突起を受入れ可能な凹部を設けたことを特徴とする複合操作型電気部品。
【請求項２】
スライド検出用および押込検出用の各固定接点を有するウエハと、このウエハにスライド可能かつ押込可能に保持された操作体と、この操作体に設けられ前記固定接点に接離可能な可動接点と、巻回部の両端から一対の腕部が突出するセンタ復帰用の捩じりコイルばねとを備え、
前記捩じりコイルばねの巻回部を前記操作体に設けた突起に巻掛けて溝部内に収納するとともに、該捩じりコイルばねの両腕部をそれぞれ前記溝部から突出させて前記ウエハに弾接し、かつ、前記ウエハと前記操作体のいずれか一方に、該操作体のスライド方向と押込方向に延びるガイド溝を設けるとともに、いずれか他方にこのガイド溝に係合する突起を設け、この突起を前記操作体のセンタ位置において前記押込方向に延びるガイド溝の延長線上に位置させたことを特徴とする複合操作型電気部品。
【請求項３】
請求項１または２のいずれかの記載において、前記ウエハにふた部材を被着し、これらウエハとふた部材のいずれか一方に固定側クリック部を設けるとともに、前記操作体と前記捩じりコイルばねおよび前記可動接点の少なくとも１つに、前記操作体の押込操作時に前記固定側クリック部と係脱する可動側クリック部を設けたことを特徴とする複合操作型電気部品。
【発明の詳細な説明】
【０００１】
【発明の属する技術分野】
本発明は、例えばビデオカメラや携帯電話などに備えられ、回転操作あるいはスライド操作と押込操作という異なる２つの操作によってそれぞれ電気信号を出力する複合操作型電気部品に関する。
【０００２】
【従来の技術】
従来より、携帯電話などにおいては、回転操作型電気部品であるロータリスイッチと押込操作型電気部品であるタクトスイッチとを互いに近接して別々に配設し、ロータリスイッチから出力される第１の電気信号によって、例えば所望の電話番号を選択し、タクトスイッチから出力される第２の電気信号によって、例えば呼び出しモードを設定して前記選択した電話番号を自動ダイヤルするようにしたものが知られている。
【０００３】
【発明が解決しようとする課題】
しかしながら、前述した従来技術にあっては、回転操作型電気部品（ロータリスイッチ）と押込操作型電気部品（タクトスイッチ）とを別々に配設してあるため、これら２つの電気部品を並設するのに収納スペースが嵩張るという問題があった。また、複合操作する際に、使用者の任意の指でロータリスイッチの操作体を指で回転操作してから、その指を移動してタクトスイッチの操作体を押込操作しなければならないため、操作性が悪いという問題もあった。
【０００４】
【課題を解決するための手段】
本発明は、操作体をウエハに回転（またはスライド）可能にかつ押込可能に保持し、この操作体に設けた溝部内に捩じりコイルばねの巻回部を収納するとともに、該捩じりコイルばねの両腕部を該溝部から突出させてウエハに弾接することとしている。このように、操作体の溝部内に収納した捩じりコイルばねの両腕部をウエハに弾接すると、操作体の回転またはスライド操作時に、捩じりコイルばねの一方の腕部が撓められて操作体にセンタ位置への復帰力を付与し、操作体の押込操作時に、捩じりコイルばねの両方の腕部が撓められて操作体にセンタ位置への復帰力を付与するため、１つの操作体によって回転またはスライド操作と押込操作という異なる２つの操作を行うことができる。
【０００５】
【発明の実施の形態】
本発明の複合操作型電気部品では、回転検出用および押込検出用の各固定接点を有するウエハと、このウエハに回転可能かつ押込可能に保持された操作体と、この操作体に設けられ前記固定接点に接離可能な可動接点と、巻回部の両端から一対の腕部が突出するセンタ復帰用の捩じりコイルばねとを備え、前記操作体に中央部に長孔を有する円筒状のボスを設けるとともに、このボスの周囲に環状溝と該環状溝に連通する一対の係合溝とを設け、前記長孔を前記ウエハに立設した支軸に挿通することにより、前記操作体を該支軸を中心に回転可能かつ押込可能となし、前記捩じりコイルばねの巻回部を前記ボスに巻掛けて前記環状溝内に収納するとともに、該捩じりコイルばねの両腕部をそれぞれ前記係合溝から突出させて前記ウエハに弾接し、かつ、前記ウエハと前記操作体のいずれか一方に突起を設け、いずれか他方に前記操作体のセンタ位置で該操作体の押込時に前記突起を受入れ可能な凹部を設けてある。
【０００７】
【発明の実施の形態】
また、本発明の複合操作型電気部品では、スライド検出用および押込検出用の各固定接点を有するウエハと、このウエハにスライド可能かつ押込可能に保持された操作体と、この操作体に設けられ前記固定接点に接離可能な可動接点と、巻回部の両端から一対の腕部が突出するセンタ復帰用の捩じりコイルばねとを備え、前記捩じりコイルばねの巻回部を前記操作体に設けた突起に巻掛けて溝部内に収納するとともに、該捩じりコイルばねの両腕部をそれぞれ前記溝部から突出させて前記ウエハに弾接し、かつ、前記ウエハと前記操作体のいずれか一方に、該操作体のスライド方向と押込方向に延びるガイド溝を設けるとともに、いずれか他方にこのガイド溝に係合する突起を設け、この突起を前記操作体のセンタ位置において前記押込方向に延びるガイド溝の延長線上に位置させてある。
【０００８】
また、前記ウエハと該ウエハに被着したふた部材のいずれか一方に固定側クリック部を設け、前記操作体と前記捩じりコイルばねおよび前記可動接点の少なくとも１つに可動側クリック部を設けると、前記操作体を押込操作した時に、可動側クリック部が固定側クリック部と係脱してクリック（節度）感を生起するため、クリック出し用の部材を別途設ける必要がなくなり、コストの低減化が図れる。
【０００９】
【実施例】
実施例を図面を参照して説明すると、図１は第１実施例に係る複合操作型電気部品の透視図、図２は該複合操作型電気部品を回転操作した状態を示す透視図、図３は該複合操作型電気部品を押込操作した状態を示す透視図、図４は該複合操作型電気部品の分解斜視図、図５は該複合操作型電気部品の組立斜視図、図６は該複合操作型電気部品に備えられるウエハの平面図である。
【００１０】
本実施例の複合操作型電気部品は、図４に示すように、上部開口１ａを有する合成樹脂製のウエハ１と、このウエハ１に回転可能かつ押込可能に保持された操作体２と、この操作体２の下面に固定された導電性弾性板からなる摺動子３と、中央の巻回部４ａの両端から一対の腕部４ｂ，４ｃが突出する捩じりコイルばね４と、ウエハ１内に配置されたクリック板５と、ウエハ１の上部開口１ａを覆うふた部材６とから主として構成されている。
【００１１】
図６に示すように、前記ウエハ１は略円形の内底部７とこの内底部７の周囲に全周にわたって立設された壁部８とを備えており、壁部８には一対の係合段部８ａ，８ｂが形成されている。内底部７の中央には操作体２を軸支する支軸９が立設されており、支軸９の押込方向の手前側（図６の上側）には、この押込方向に対して垂直な平面９ａが形成されている。また、内底部７には、操作体２の回転方向に沿って形成された回転検出用の固定接点１０，１１と、これら固定接点１０，１１に対して押込方向の奥行き側（図６の下側）に位置する押込検出用の固定接点１２と、支軸９をはさんで固定接点１２の反対側に位置し、操作体２の回転方向および押込方向に沿って形成されたコモン用の固定接点１３とが一体成形されている。これら固定接点１０〜１３は、それぞれ外部端子１０ａ〜１３ａとしてウエハ１の壁部８から側方へ突出している。前記壁部８の押込方向の手前側は支軸９を中心にして円弧状に形成されており、この円弧状部分に段部１４が形成されている。この段部１４は操作体２の回転範囲を規定するもので、段部１４の中央部分には凹部１５が形成されている。また、壁部８の押込方向の奥行き側（図６の下側）に取付孔１６が穿設されている。
【００１２】
前記操作体２は左右対称形状に一体的に構成されており、図４に示すように、ウエハ１内に配置される基部１７と、ウエハ１から突出する操作部１８と、これら基部１７と操作部１８を連結する連結部１９とを有し、連結部１９はウエハ１の段部１４に挿通されている。基部１７の中央に円筒状のボス２１が立設されており、このボス２１に穿設された長孔２０は操作体２の押込方向に延び、この長孔２０に前記支軸９が挿通されている。また、この長孔２０の周囲に環状溝１７ａが形成されており、この環状溝１７ａからそれぞれ斜め上方向に向かって一対の係合溝２２，２３が形成されている。図１に示すように、前記捩じりコイルばね４の巻回部４ａはボス２１に巻掛けられて環状溝１７ａ内に位置しており、両腕部４ｂ，４ｃは係合溝２２，２３を通ってウエハ１の係合段部８ａ，８ｂに係止されている。さらに、前記長孔２０の押込方向の手前側には、この長孔２０の長手方向に対して垂直な平面２０ａが形成されており、図１に示す操作体２の非操作時や図２に示す回転操作時に、長孔２０の平面２０ａと支軸９の平面９ａとは離れた状態に保たれ、一方、図３に示す操作体２の押込操作時に、該平面２０ａと平面９ａとは当接する。
【００１３】
前記操作部１８は基部１７を中心として円弧状に形成されており、この操作部１８の中央の内側には突起２４が形成されている。図２に示す操作体２の回転操作時に、この突起２４はウエハ１の段部１４の外側を移動するが、図３に示す操作体２のセンタ位置での押込操作時に、突起２４はウエハ１の凹部１５内を移動するようになっている。
【００１４】
前記摺動子３は、基部１７の下面に取付けられる一対の取付部２５，２６と、これら取付部２５，２６間に形成された一対の摺接部２７，２８とを有し、これらは一体的に左右対称形状に構成されている。各摺接部２７，２８の中央に下方に突出する可動接点２７ａ，２８ａがそれぞれ形成されており、一方の可動接点２８ａは前記コモン用固定接点１３と常時接触している。なお、図１〜図３において、可動接点２７ａ，２８ａの相対的位置の説明を容易にするため、可動接点２７ａ，２８ａをそれぞれ内部にハッチングを施した楕円および円で示すとともに、前記固定接点１０〜１３および外部端子１０ａ〜１３ａをそれぞれ二点鎖線で示してある。
【００１５】
前記ふた部材６には複数の係止部２９が形成されており、これら係止部２９をウエハ１の壁部８に沿って挿入し、その先端を折り曲げてウエハ１の下面に係止することにより、図５に示すように、ウエハ１の上部開口１ａがふた部材６によって覆われている。
【００１６】
上記第１実施例にあっては、図１に示す操作体２の非操作時に、捩じりコイルばね４の両腕部４ｂ，４ｃがウエハ１の係合段部８ａ，８ｂにそれぞれ係止され、巻回部４ａが操作体２のボス２１に巻掛けられているため、操作体２に対して捩じりコイルばね４からセンタ位置への復帰力が付与されている。このとき、操作体２の突起２４はウエハ１の凹部１５と対向するとともに、操作体２の長孔２０の平面２０ａと支軸９の平面９ａとは離れている。また、摺動子３の可動接点２８ａはコモン用の固定接点１３に常時接触しているが、他の可動接点２７ａは他の固定接点１０〜１２のいずれにも接触していないため、ロータリスイッチとプッシュスイッチは共にオフ状態となっている。
【００１７】
この状態で操作体２の操作部１８を反時計方向に回転操作すると、図２に示すように、操作体２に連動して摺動子３も支軸９を中心にして回転し、摺動子３の可動接点２７ａが回転検出用の一方の固定接点１１に接触するため、外部端子１１ａとコモン用外部端子１３ａとが導通し、ロータリスイッチのみがオン状態となって第１の電気信号が出力される。このとき、捩じりコイルばね４の一方の腕部４ｂはウエハ１の係合段部８ａに係止されているが、他の腕部４ｃは操作体２の係合溝２３の端部により回転方向に押圧されて係合段部８ｂから離れるため、これら腕部４ｂ，４ｃが閉じる方向に圧縮されることにより、操作体２に対してセンタ位置への復帰力が付与される。また、操作部１８を手放すと、操作体２は捩じりコイルばね４の付勢力で時計方向に回転して図１に示すセンタ位置まで自動的に戻り、可動接点２７ａが回転検出用の固定接点１１から離れるため、ロータリスイッチは再びオフ状態となる。なお、操作体２の回転操作中に、突起２４は凹部１５から離れて段部１４の外側を移動するため、操作体２の回転操作時に誤って押込方向の力が作用しても、突起２４が段部１４に当接して操作体２を押込むことができないため、操作体２の誤操作を防止できる。
【００１８】
同様に、操作体２を時計方向に回転操作した場合も、摺動子３の可動接点２８ａがコモン用固定接点１３に常時接触するとともに、他の可動接点２７ａが回転検出用の他方の固定接点１０に接触するため、外部端子１０ａとコモン用外部端子１３ａとが導通し、ロータリスイッチのみがオン状態となって第１の電気信号が出力される。
【００１９】
また、図１に示す操作体２の非操作状態から操作部１８をウエハ１の方向へ押込むと、図３に示すように、操作体２および摺動子３が長孔２０の長手方向へ一体的に移動する。これに伴って、クリック板５が基部１７に押圧されて座屈変形するため、クリック（節度）感が生起されるとともに、摺動子３の可動接点２７ａが押込検出用の固定接点１２に接触するため、外部端子１２ａとコモン用外部端子１３ａとが導通し、プッシュスイッチのみがオン状態となって第２の電気信号が出力される。このとき、前記捩じりコイルばね４の両腕部４ｂ，４ｃはウエハ１の係合段部８ａ，８ｂに係止されているが、巻回部４ａが操作体２のボス２１によって押込方向に移動するため、これら腕部４ｂ，４ｃが閉じる方向に圧縮されることにより、操作体２に対してセンタ位置への復帰力が付与される。また、操作部１８を手放すと、操作体２は捩じりコイルばね４の付勢力で上昇して図１に示すセンタ位置まで自動的に戻り、可動接点２７ａが押込検出用の固定接点１２から離れる、プッシュスイッチは再びオフ状態となる。なお、操作体２の押込操作中に、突起２４は凹部１５の内部を移動するため、操作体２の押込操作時に誤って回転方向の力が作用しても、突起２４が凹部１５の壁面に当接して操作体２を回転することができないため、この場合も操作体２の誤操作を防止できる。
【００２０】
図７は第２実施例に係る複合操作型電気部品の透視図、図８は該複合操作型電気部品の分解斜視図である。本実施例の複合操作型電気部品は、図８に示すように、上部開口３０を有する合成樹脂製のウエハ３１と、このウエハ３１にスライド可能かつ押込可能に保持される操作体３２と、この操作体３２の下面に固定された導電性弾性板からなる摺動子３３と、中央の巻回部３４ａの両端から一対の腕部３４ｂ，３４ｃが突出する捩じりコイルばね３４と、ウエハ３１の上部開口３０を覆うふた部材３５とから主として構成されている。
【００２１】
前記ウエハ３１は長方形状の内底部３６を有し、この内底部３６には、操作体３２のスライド方向に延びるガイド溝３７と、このガイド溝３７と直交して該操作体３２の押込方向に延びる２本の他のガイド溝３８ａ，３８ｂとが形成されている。ウエハ３１のスライド方向の手前側には段部３９が形成され、この段部３９は操作体３２のスライド範囲を規定するもので、段部３９の両端には捩じりコイルばね３４の腕部３４ｂ，３４ｃを係止する係止部４０，４１が形成されている。また、ウエハ３１の内底部３６には、図７の上部および下部（スライド方向の両端側）にそれぞれ位置するスライド検出用の固定接点４２，４３と、図７の右側（押込方向の奥行き側）に位置する押込検出用の固定接点４４と、操作体３２のスライド方向および押込方向に沿って形成され、摺動子３３が常時接触する固定接点４５とが一体成形されており、これら固定接点４２〜４５はそれぞれ外部端子４２ａ〜４５ａとしてウエハ３１の側方へ突出している。
【００２２】
前記操作体３２は、前記ウエハ３１内に位置する基部４６と、ウエハ３１の段部３９より突出する操作部４７とから一体的に形成されている。基部４６の上面中央には突起４８が立設されるとともに、基部４６の上面の両側部には一対の壁部４９，５０が形成されており、突起４８と両壁部４９，５０との間には溝部４６ａが形成されている。図７に示すように、前記捩じりコイルばね３４の巻回部３４ａは突起４８に巻掛けられており、両腕部３４ｂ，３４ｃはそれぞれ壁部４９，５０に係止されている。基部４６の下面には一対の突起５１，５２が形成されており、これら突起５１，５２は前記ガイド溝３７および他のガイド溝３８ａと係合している。
【００２３】
前記摺動子３３は、基部４６の下面に取付けられる取付部５３と、この取付部５３から一方の側に延びる一対の可動接点５４，５５と、他方の側に延びる一対の可動接点５６，５７とから一体的に左右対称形状で構成され、これらのうちで可動接点５７は前記コモン用固定接点４５と常時接触している。
【００２４】
前記ふた部材３５には一対の係止部５８が形成されており、これら係止部５８をウエハ３１の側面に沿って挿入してスナップ結合することにより、ウエハ３１の上部開口３０はふた部材３５によって覆われている。
【００２５】
この第２実施例にあっては、図７に示す操作体３２の非操作時に、捩じりコイルばね３４の両腕部３４ｂ，３４ｃがウエハ３１の係止部４０，４１にそれぞれ係止され、巻回部３４ａが操作体３２の突起４８に巻掛けられているため、操作体３２に対して捩じりコイルばね３４からセンタ位置への復帰力が付与されている。このとき、操作体３２の突起５１はガイド溝３７に係合するとともに他のガイド溝３８ａの延長線上に位置し、同様に、他の突起５２もガイド溝３７に係合するとともに他のガイド溝３８ｂの延長線上に位置している。また、摺動子３３の可動接点５７はコモン用固定接点４５に常時接触しているが、他の可動接点５４〜５６はいずれも他の固定接点４２〜４４に接触していないため、スライドスイッチとプッショスイッチは共にオフ状態となっている。
【００２６】
この状態で操作体３２の操作部４７を図７の下方へスライド操作すると、操作体３２に連動して摺動子３３もスライドし、この摺動子３３の可動接点５７がコモン用固定接点４５に常時接触するとともに、他の可動接点５４がスライド検出用の固定接点４３に接触するため、外部端子４３ａとコモン用外部端子４５ａとが導通し、スライドスイッチのみがオン状態となって第１の電気信号が出力される。このとき、捩じりコイルばね３４の一方腕部３４ｂはウエハ３１の係止部４０に係止されているが、他方の腕部３４ｃは操作体３２の壁部５０によってスライド方向に押圧されて係止部４１から離れるため、両腕部３４ｂ，３４ｃが閉じる方向に圧縮されることにより、操作体３２に対してセンタ位置への復帰力が付与される。また、操作体３２の操作部４７を手放すと、操作体３２は捩じりコイルばね３４の付勢力で図７の上方にスライドしてセンタ位置まで自動的に戻り、可動接点５４がスライド検出用の固定接点４３から離れるため、スライドスイッチは再びオフ状態となる。なお、操作体３２のスライド操作中に、操作体３２の両突起５１，５２は一方のガイド溝３７に沿ってスライド方向に移動するため、操作体３２のスライド操作時に誤って押込方向の力が作用しても、両突起５１，５２を他のガイド溝３８ａ，３８ｂに沿って押込むことができず、操作体３２の誤操作を防止できる。
【００２７】
同様に、操作体３２を図７の上方にスライド操作した場合、摺動子３３の可動接点５７がコモン用固定接点４５に常時接触するとともに、他の可動接点５６がスライド検出用の他の固定接点４２に接触するため、外部端子４２ａとコモン用外部端子４５ａとが導通し、スライドスイッチのみがオン状態となって第１の電気信号が出力される。
【００２８】
また、操作体３２が図７に示すセンタ位置にあるとき、この操作体３２の操作部４７を図７の右方向へ押込むと、操作体３２の突起５１，５２がそれぞれガイド溝３８ａ，３８ｂに沿って押込方向に移動する。これに伴って、摺動子３３の可動接点５５が押込検出用の固定接点４４に接触するため、外部端子４４ａとコモン用外部端子４５ａとが導通し、プッシュスイッチのみがオン状態となって第２の電気信号が出力される。このとき、捩じりコイルばね３４の両腕部３４ｂ，３４ｃはウエハ３１の係止部４０，４１に係止されているが、巻回部３４ａが操作体３２の突起４８により図７の右方向に押圧されるため、両腕部３４ｂ，３４ｃが閉じる方向に圧縮されることにより、操作体３２に対してセンタ位置への復帰力が付与される。また、操作体３２の操作部４７を手放すと、操作体３２は捩じりコイルばね３４の付勢力で図７の左方向に移動してセンタ位置まで自動的に戻り、可動接点５５が押込検出用の固定接点４４から離れるため、プッシュスイッチは再びオフ状態となる。なお、操作体３２の押込操作中に、操作体３２の両突起５１，５２はガイド溝３８ａ，３８ｂに沿って押込方向に移動するため、操作体３２の押込操作時に誤ってスライド方向の力が作用しても、両突起５１，５２を他のガイド溝３７に沿ってスライドさせることはできず、この場合も操作体３２の誤操作を防止できる。
【００２９】
図９は第３実施例に係る複合操作型電気部品の斜視図、図１０は該複合操作型電気部品からふた部材を取り除いて示す平面図、図１１は該複合操作型電気部品に備えられるクリック機構の要部断面図であり、図１〜図６に対応する部分には同一符号を付してある。
【００３０】
本実施例の複合操作型電気部品は、前述した第１実施例のクリック板５を用いる代わりに、操作体２とふた部材６とでクリック機構を構成してある。すなわち、ふた部材６にはスリット６０によって両持ち梁状の変形部６１が形成されており、この変形部６１の中央に固定側クリック部としての第１突起６２が形成されている。一方、操作体２の基部１７には可動側クリック部としての第２突起６３が形成されており、この第２突起６３はふた部材６の裏面に対向している。なお、このクリック機構以外の構成や動作は第１実施例の複合操作型電気部品と基本的に同じであるため、ここでは重複説明を省略する。
【００３１】
このように構成された第３実施例にあっては、図１０に示す非操作状態から操作体２の操作部１８をウエハ１の方向へ押込むと、図１１の矢印で示すように、操作体２は長孔２０の長手方向へ移動する。これに伴って、操作体２の基部１７に形成した第２突起６３がふた部材６に形成した変形部６１の裏面を２点鎖線で示す方向に移動し、第２突起６３が第１突起６２を乗り越えることによって、クリック感が生起される。したがって、クリック板５が不要となる分だけ部品点数を削減することができ、組立作業性を高めることができる。また、第１突起６２や第２突起６３の大きさ等を変えることによって、クリック感を適宜のフィーリングに設定することができ、例えば、第１突起６２を幅広にして第２突起６３との接触面積を大きくすると、より強いクリック感を生起させることができ、操作体２をセンタ位置から回転操作する時に、操作体２が誤って押込操作されることを抑制できる。
【００３２】
上記第３実施例では、固定側クリック部としての第１突起６２をふた部材６に形成し、可動側クリック部としての第２突起６３を操作体２の基部１７に形成し、これら第１突起６２と第２突起６３とでクリック機構を構成した場合について説明したが、以下に説明するように、固定側クリック部と可動側クリック部を他の部材に形成しても同等の効果を奏することができる。
【００３３】
図１２に示す実施例では、ウエハ１の内底部７に固定側クリック部としての突起６４を形成するとともに、捩じりコイルばね４の巻回部４ａを可動側クリック部として兼用しており、突起６４を操作体２の基部１７に開設した孔６４内に臨ませてある。したがって、図１２に示す非操作状態から操作体２の操作部１８をウエハ１の方向へ押込むと、操作体２のボス２１と一体的に移動する巻回部４ａが突起６４を乗り越えることによって、クリック感が生起される。
【００３４】
図１３に示す実施例では、ウエハ１の壁部８に形成された一方の係合段部８ｂを固定側クリック部として兼用し、この係合段部８ｂに係止される捩じりコイルばね４の腕部４ｃに突起６５が形成してある。この場合、捩じりコイルばね４は操作体２の押込方向に対して傾いた状態で組み込まれており、ほぼ水平に近い角度で係合段部８ａに係止する腕部４ｂによって、操作体２はセンタ位置への復帰力が付与されている。したがって、図１３に示す非操作状態から操作体２の操作部１８をウエハ１の方向へ押込むと、操作体２と一体的に移動する腕部４ｃの突起６５が係合段部８ｂを乗り越えることによって、クリック感が生起される。
【００３５】
図１４に示す実施例では、ウエハ１の内底部７に固定側クリック部としての第１突起６６を形成するとともに、摺動子３に可動側クリック部としての第２突起６７を形成してある。この第２突起６７はウエハ１の内底部７に弾接しているが、スイッチの切換え動作に関与しないダミー接点である。したがって、図１４に示す非操作状態から操作体２の操作部１８をウエハ１の方向へ押込むと、操作体２と一体的に移動する摺動子３の第２突起６７がウエハ１の第１突起６６を乗り越えることによって、クリック感が生起される。
【００３６】
図１５に示す実施例では、ふた部材６にに固定側クリック部としての突起６８を形成するとともに、捩じりコイルばね４の巻回部４ａを可動側クリック部として兼用している。したがって、図１５に示す非操作状態から操作体２の操作部１８をウエハ１の方向へ押込むと、操作体２のボス２１と一体的に移動する巻回部４ａが突起６８を乗り越えることによって、クリック感が生起される。
【００３７】
なお、上記第３実施例や図１２〜図１５に示したクリック機構は、上記第２実施例で説明したスライド操作と押込操作を行う複合操作型電気部品にも適用することが可能である。
【００３８】
【発明の効果】
本発明は、以上説明したような形態で実施され、以下に記載されるような効果を奏する。
【００３９】
操作体に中央部に長孔を有する円筒状のボスを設けるとともに、このボスの周囲に環状溝と該環状溝に連通する一対の係合溝とを設け、長孔をウエハに立設した支軸に挿通することで該操作体をウエハに回転可能かつ押込可能に保持し、捩じりコイルばねの巻回部をボスに巻掛けて環状溝内に収納するとともに、捩じりコイルばねの両腕部をそれぞれ係合溝から突出させてウエハに弾接するように構成したので、回転と押込という異なる２つの操作を１つの操作体で行うことができ、しかも、部品点数を少なくして小型化を図ることができる。さらに、ウエハと操作体のいずれか一方に突起を設け、いずれか他方に操作体のセンタ位置で該操作体の押込時に突起を受入れ可能な凹部を設けることにより、操作体の回転操作中の押込操作や押込操作中の回転操作が規制されため、操作体の誤操作を防止することができる。
【００４１】
また、操作体をウエハにスライド可能かつ押込可能に保持し、捩じりコイルばねの巻回部を操作体に設けた突起に巻掛けて溝部内に収納するとともに、捩じりコイルばねの両腕部を溝部から突出させてウエハに弾接することにより、スライドと押込という異なる２つの操作を１つの操作体で行うことができ、しかも、部品点数を少なくして小型化を図ることができる。さらに、ウエハと操作体のいずれか一方に、該操作体のスライド方向と押込方向に延びるガイド溝を設けるとともに、いずれか他方にこのガイド溝に係合する突起を設け、この突起を操作体のセンタ位置においてその押込方向に延びるガイド溝の延長線上に位置させてあるため、スライド操作時あるいは押込操作時に操作体の移動がガイド溝に沿って円滑であるとともに、操作体のスライド操作中の押込操作や押込操作中のスライド操作が規制されるため、操作体の誤操作を防止できる。
【００４２】
また、前記ウエハと該ウエハに被着したふた部材のいずれか一方に固定側クリック部を設け、前記操作体と前記捩じりコイルばねおよび前記可動接点の少なくとも１つに可動側クリック部を設けると、前記操作体を押込操作した時に、可動側クリック部が固定側クリック部と係脱してクリック（節度）感を生起するため、クリック出し用の部材を別途設ける必要がなくなり、コストの低減化が図れる。
【図面の簡単な説明】
【図１】本発明の第１実施例に係る複合操作型電気部品の透視図である。
【図２】該複合操作型電気部品を回転操作した状態を示す透視図である。
【図３】該複合操作型電気部品を押込操作した状態を示す透視図である。
【図４】該複合操作型電気部品の分解斜視図である。
【図５】該複合操作型電気部品の組立斜視図である。
【図６】該複合操作型電気部品に備えられるウエハの平面図である。
【図７】本発明の第２実施例に係る複合操作型電気部品の透視図である。
【図８】該複合操作型電気部品の分解斜視図である。
【図９】本発明の第３実施例に係る複合操作型電気部品の斜視図である。
【図１０】該複合操作型電気部品からふた部材を取り除いて示す平面図である。
【図１１】該複合操作型電気部品に備えられるクリック機構の要部断面図である。
【図１２】クリック機構の変形例を示す平面図である。
【図１３】クリック機構の変形例を示す平面図である。
【図１４】クリック機構の変形例を示す要部断面図である。
【図１５】クリック機構の変形例を示す要部断面図である。
【符号の説明】
１  ウエハ
２  操作体
３  摺動子
４  捩じりコイルばね
４ａ  巻回部
４ｂ、４ｃ  腕部
８  壁部
８ａ，８ｂ  係合段部
９  支軸
１０，１１  回転検出用固定接点
１２  押込検出用固定接点
１３  コモン用固定接点
１４  段部
１５  凹部
１７  基部
１７ａ  環状溝
２０  長孔
２１  ボス
２２，２３  係合溝
２４  突起
２７ａ，２８ａ  可動接点
３１  ウエハ
３２  操作体
３３  摺動子
３４  捩じりコイルばね
３４ａ  巻回部
３４ｂ，３４ｃ  腕部
３７  ガイド溝
３８ａ，３８ｂ  ガイド溝
３９  段部
４６  基部
４６ａ  溝部
４８  突起
４２，４３  スライド検出用固定接点
４４  押込検出用固定接点
４５  コモン用固定接点
５１，５２  突起
５４〜５７  可動接点
６２，６６  第１突起
６３，６７  第２突起
６４，６５，６８  突起
【図１】
0003793290.tif 000002
【図２】
0003793290.tif 000003
【図３】
0003793290.tif 000004
【図４】
0003793290.tif 000005
【図５】
0003793290.tif 000006
【図６】
0003793290.tif 000007
【図７】
0003793290.tif 000008
【図８】
0003793290.tif 000009
【図９】
0003793290.tif 000010
【図１０】
0003793290.tif 000011
【図１１】
0003793290.tif 000012
【図１２】
0003793290.tif 000013
【図１３】
0003793290.tif 000014
【図１４】
0003793290.tif 000015
【図１５】
0003793290.tif 000016